(57)【要約】【課題】水を入れた手桶がぞんざいに扱われても衝撃等で破損したり、汚れたりすることがなく、その耐久性を大幅に向上させて、親子何代にわたっても使用することが可能な墓地用手桶を提供することにある。【解決手段】各部をステンレス製とした墓地用手桶であって、上面に開口部を形成した有底の手桶本体と、前記開口部の周縁部分の対向する位置に立ち上げた一対の板状支持アームと、一対の板状支持アームの上部の間を連結した筒状の取っ手とを備えるとともに、前記有底の手桶本体の底部が、周囲に筒状の垂下部を形成されていることを特徴とする墓地用手桶。【選択図】  図４
0003120973.tif 000002
【実用新案登録請求の範囲】
【請求項１】
各部をステンレス製とした墓地用手桶であって、上面に開口部を形成した有底の手桶本体と、前記開口部の周縁部分の対向する位置に立ち上げた一対の板状支持アームと、一対の板状支持アームの上部の間を連結した筒状の取っ手とを備えるとともに、前記有底の手桶本体の底部が、周囲に筒状の垂下部を形成されていることを特徴とする墓地用手桶。
【請求項２】
ステンレス製の手桶本体が、
ａ）板状支持アームをそれぞれ一体的に設けた一対の円弧状断面の半割り体を筒状に溶接
ｂ）筒状体を板状支持アームを一体的に設けた状態で所定の長さに切断
ｃ）板状支持アームを一体的に設けた状態でプレス成形
のいずれかの手段により形成されていることを特徴とする請求項１記載の墓地用手桶。
【請求項３】
手桶本体が、筒状の垂下部に吊下げ用の孔を形成されていることを特徴とする墓地用手桶。
【考案の詳細な説明】
【技術分野】
【０００１】
この考案は、墓参りに水を入れて墓地（墓石）まで持ち運ぶために利用される墓地用手桶の改良に関する。
【背景技術】
【０００２】
従来から知られているこの種の墓地用手桶は、木製あるいはプラスチック製のものが主流であり、通常、本来の水を入れる機能しか備えていない。
【特許文献１】特にありません。
【考案の開示】
【考案が解決しようとする課題】
【０００３】
ところで、墓参り時には水の他にローソク、線香、マッチ、数珠等の小物の墓参り用具、そして上げ花を持っていくのが一般的である。それゆえ、従来においてはこれらの小物の墓参り用具を入れた袋を片手に持ち、そしてもう一方の片手に手桶を持った無理な姿勢にて手桶と共に墓地まで持ち運ばなければならなかった。
したがって、水を入れた手桶がぞんざいに扱われやすく、木製あるいはプラスチック製の墓地用手桶にあっては衝撃等で破損したり、汚れたりしやすく、その耐久性に問題があった。
【０００４】
この考案はこの様な従来例の問題点に鑑みてなされたもので、その目的とするところは、水を入れた手桶がぞんざいに扱われても衝撃等で破損したり、汚れたりすることがなく、その耐久性を大幅に向上させて、親子何代にわたっても使用することが可能な墓地用手桶を提供することにある。
【課題を解決するための手段】
【０００５】
上記目的を達成するためにこの考案の墓地用手桶は、各部をステンレス製とした墓地用手桶であって、上面に開口部を形成した有底の手桶本体と、前記開口部の周縁部分の対向する位置に立ち上げた一対の板状支持アームと、一対の板状支持アームの上部の間を連結した筒状の取っ手とを備えるとともに、前記有底の手桶本体の底部が、周囲に筒状の垂下部を形成されていることを特徴とするものである。
【０００６】
この考案の墓地用手桶は、前記ステンレス製の手桶本体が、
ａ）板状支持アームをそれぞれ一体的に設けた一対の円弧状断面の半割り体を筒状に溶接
ｂ）筒状体を板状支持アームを一体的に設けた状態で所定の長さに切断
ｃ）板状支持アームを一体的に設けた状態でプレス成形
のいずれかの手段により形成されていることをも特徴とするものである。
【０００７】
この考案の墓地用手桶は、手桶本体が、筒状の垂下部に吊下げ用の孔を形成されていることをも特徴とするものである。
【考案の効果】
【０００８】
この考案の墓地用手桶は叙上の如く構成してなるから、下記の作用効果を奏する。
請求項１によれば、水を入れた手桶がぞんざいに扱われても衝撃等で破損したり、汚れたりすることがなく、その耐久性を大幅に向上させて、親子何代にわたっても使用することが可能な墓地用手桶を提供することができる。
【０００９】
請求項２によれば、ステンレス製の手桶本体を、板状支持アームを一体的に設けた状態で製作することができ、その製作工程を簡素化して、大幅なコストダウンを行なうことができる。
【考案を実施するための最良の形態】
【００１０】
この考案の墓地用手桶の実施の形態について、図面に基いて以下詳細に説明する。
図１はこの考案の墓地用手桶を構成する墓地用手桶の１実施例を示す正面図、図２はその側面図、図３はその平面図、図４はその断面図、図５は下向きにひっくり返した状態の斜視図、図６はこの考案の墓地用手桶の他の実施例を示す側面図、図７は同時に使用するステンレス製のひしゃくを示す正面図、図８はその平面図、図９はひしゃくの別の例を示す正面図、図１０はその平面図、図１１は手桶保管具に墓地用手桶とひしゃくとを吊下げた状態の側面図である。
【００１１】
図１ないし図５において、この実施例の墓地用手桶を構成する墓地用手桶は各部をステンレス製としたものであって、上面に開口部１２を形成した有底の手桶本体１１と、前記開口部１２の周縁部分の対向する位置に立ち上げた一対の板状支持アーム１３，１３と、一対の板状支持アーム１３，１３の上部の間を連結した筒状の取っ手１４とを備えている。
そして、前記有底の手桶本体１１の底部１５には、周囲に筒状の垂下部１６が形成されており、垂下部１６には所定の間隔で複数の吊下げ用の孔１７が穿設されている。図ではこの吊下げ用の孔１７として４個形成した例を示している。
【００１２】
有底の手桶本体１１の前記開口部１２から立ち上げた一対の板状支持アーム１３，１３は、手桶本体１１の前記開口部１２からやや外側に拡げるように屈曲させ、その後上方に立ち上げてあるので、手桶本体１１内の水をひしゃくで汲み上げる際に邪魔になることがなく、非常に汲み上げやすくなっている。
一対の板状支持アーム１３，１３の上部の間を連結した取っ手１４は筒状であり、全体としての手桶の軽量化に貢献している。
また図６のように、板状支持アーム１３，１３を手桶本体１１の開口部１２に、ボルトナット１８やリベット等を用いて首振り自在に取り付けることも可能である。
このようにしておくと、壁に吊下げたり、棚等に整列させる場合等に板状支持アーム１３，１３が自在に首振りして邪魔にならないので便利である。
【００１３】
前記有底の手桶本体１１の底部１５に設けた筒状の垂下部１６は、墓地等において地面に凹凸があった場合にも確実に地面を捕捉して安定感を損なわずに地面等に置くことができる。
また前記筒状の垂下部１６は、水を入れた手桶がぞんざいに扱われた場合にも、衝撃等で底部の角等が破損することがないので、墓地用手桶の耐久性を大幅に向上させるのに役立つ。
【００１４】
前記ステンレス製の手桶本体は、下記のいずれかの手段により製作することが望ましい。
ａ）板状支持アームをそれぞれ一体的に設けた一対の円弧状断面の半割り体を筒状に溶接
ｂ）筒状体を板状支持アームを一体的に設けた状態で所定の長さに切断
ｃ）板状支持アームを一体的に設けた状態でプレス成形
先ずａ）においては、板状支持アーム１３，１３をそれぞれ一体的に設けた一対の円弧状断面の半割り体をプレスや打ち抜き等によって作製する。この場合には一対の円弧状断面の半割り体に板状支持アーム１３，１３をそれぞれ一体的に設けておくことが重要である。
得た一対の円弧状断面の半割り体を突合せ、筒状に形成して突合せ部位を溶接すると手桶本体１１が完成する。
【００１５】
ｂ）においては、筒状体を所定の長さに切断して手桶本体を得る。この場合には筒状の手桶本体に板状支持アーム１３，１３をそれぞれ一体的に形成するよう切断するか、打ち抜くことが重要である。
この場合には、上記切断もしくは打ち抜きのみによって手桶本体１１が完成する。
【００１６】
ｃ）においては、板状支持アーム１３，１３を一体的に設けた状態でプレス成形する。この場合には厚肉の原料板から段階的に絞りを加えて行き、最終的に筒状の手桶本体１１となるようプレス加工する。この場合にも板状支持アーム１３，１３を手桶本体１１の開口部１２に一体的に設けることが重要である。
この場合には、上記プレス加工のみによって手桶本体１１が完成する。
【００１７】
図７および図８において、この実施例の墓地用手桶とともに使用するひしゃくも、各部をステンレス製としたものである。
すなわち、上面に開口部２２を形成した有底のひしゃく本体２１と、前記開口部２２の側壁部分に柄２３が横向きに取り付けられている。
そして、柄２３をステンレス製の小口径パイプで形成することにより、ひしゃくの軽量化を図ることが望ましい。
【００１８】
図９および図１０の例におけるひしゃくも、各部をステンレス製としたものである。
すなわち、上面に開口部２２を形成した有底のひしゃく本体２１と、前記開口部２２の側壁部分に柄２３が横向きに取り付けられている。
そして、柄２３をステンレス製の小口径パイプで形成することにより、さらに、上面に開口部２２を形成した有底のひしゃく本体２１の開口端にフランジ２４を形成することによって、強度を向上させて薄肉化し、ひしゃくの軽量化を図ることが望ましい。
また、柄２３の端部には、吊下げ用の筒状環２５が形成されている。
【００１９】
以上の墓地用手桶とひしゃくとは、図１１に示すような、台座３２上に立設した支柱３３上端の両側に水平方向に吊下げ用アーム３４を張り出させた手桶保管具３１に吊下げて保管される。
すなわち、墓地用手桶とひしゃくが不使用時にあっては、手桶保管具３１の支柱３３両側の吊下げ用アーム３４の一方側には、墓地用手桶の垂下部１６に形成した吊下げ用の孔１７をはめ込み、他方側には、ひしゃくの柄２３の端部に設けた吊下げ用の筒状環２４を、それぞれはめ込んで吊下げるようにしたものである。
その際、吊下げ用アーム３４の先端を多少上向きに屈曲させておけば、墓地用手桶やひしゃく等が簡単に吊下げ用アーム３４から抜け落ちてしまうことがない。
【００２０】
以上のように構成した本実施例の墓地用手桶によれば、従来の墓地用手桶と同様に手桶本体１１に水を入れて持ち運ぶことができ、その際、手桶がぞんざいに扱われても衝撃等で破損したり、汚れたりすることがなく、耐久性を大幅に向上させて、親子何代にわたっても使用することが可能となる。
【００２１】
また、墓地用手桶とひしゃくとが、Ｔ字状アームを備えた手桶保管具によって整然とかつ内部にほこりが入りにくいように保管することができるようになった。
【産業上の利用可能性】
【００２２】
この考案の墓地用手桶は使い勝手に優れており、墓地用手桶としてのみならず、畑や玄関等の水やり用として、あるいはその他の類似の用途に使用することができるのはいうまでもない。
【図面の簡単な説明】
【００２３】
【図１】この考案の墓地用手桶の１実施例を示す正面図である。
【図２】その側面図である。
【図３】その平面図である。
【図４】その断面図である。
【図５】下向きにひっくり返した状態の斜視図である。
【図６】この考案の墓地用手桶の他の実施例を示す側面図である。
【図７】同時に使用するステンレス製のひしゃくを示す正面図である。
【図８】その平面図である。
【図９】ひしゃくの別の例を示す正面図である。
【図１０】その平面図である。
【図１１】手桶保管具に墓地用手桶とひしゃくとを吊下げた状態の側面図である。
【符号の説明】
【００２４】
１１  手桶本体
１２  開口部
１３，１３  板状支持アーム
１４  取っ手
１５  底部
１６  垂下部
１７  吊下げ用の孔
１８  ボルトナット
２１  ひしゃく本体
２２  開口部
２３  柄
２４  フランジ
２５  吊下げ用の筒状環
３１  手桶保管具
３２  台座
３３  支柱
３４  吊下げ用アーム
【図１】
0003120973.tif 000003
【図２】
0003120973.tif 000004
【図３】
0003120973.tif 000005
【図４】
0003120973.tif 000006
【図５】
0003120973.tif 000007
【図６】
0003120973.tif 000008
【図７】
0003120973.tif 000009
【図８】
0003120973.tif 000010
【図９】
0003120973.tif 000011
【図１０】
0003120973.tif 000012
【図１１】
0003120973.tif 000013
【手続補正書】
【提出日】平成18年2月13日(2006.2.13)
【手続補正１】
【補正対象書類名】実用新案登録請求の範囲
【補正対象項目名】請求項３
【補正方法】変更
【補正の内容】
【請求項３】
手桶本体が、筒状の垂下部に吊下げ用の孔を形成されていることを特徴とする請求項１記載の墓地用手桶。